(57)【要約】【課題】ボディに対してフィルタをより容易且つ確実に固定しつつ、異物の通路内への流出を確実に防止する。【解決手段】ボディ１４の凹部１６にフィルタ１０が挿入され、このフィルタ１０は、金属製の線材が編み込まれた円筒状の濾過部２８と、該濾過部２８の上端部を覆い保持するプレート体３０とからなり、プレート体３０は、濾過部２８の上端部に当接する円盤状のベース部３２にスプリング２６の端部が介装されると共に、該ベース部３２の略中央部に形成されたガイド部３４によって前記スプリング２６が同軸に位置決めされ保持される。【選択図】図１
2019166511.tif 000002
【特許請求の範囲】
【請求項１】
開口を有した円筒状の凹部と、該凹部の底壁に開口する底壁側通路と、前記凹部の側壁に開口する側壁側通路とをボディに備え、前記凹部には、凹部内を流れる流体中の異物を除去可能で前記底壁側に開口を有した有底円筒状のフィルタが設けられ、前記開口を塞ぐプラグと前記フィルタとの間に設けられたスプリングの弾発力によって前記フィルタを前記底壁側へと押圧して保持するフィルタの取付け構造において、
前記フィルタは、金属製の線材が編み込まれた円筒状の濾過部と、
前記底壁とは反対側となる前記濾過部の端部に設けられるプレートと、
を備え、
前記プレートの中央には、前記スプリングの端部及び内周側を案内するガイド突起を備えることを特徴とするフィルタの取付け構造。
【発明の詳細な説明】
【技術分野】
【０００１】
本発明は、ボディの通路内に対して流体中に含まれる異物を除去可能なフィルタを取り付けるためのフィルタの取付け構造に関する。
【背景技術】
【０００２】
本出願人は、圧縮天然ガスを減圧するためのガス用減圧弁に用いられるフィルタの取付け構造を提案している（特許文献１参照）。この取付け構造では、ボディの凹部内に有底円筒状のフィルタを収納し、前記フィルタの軸方向に沿った一端側外周に設けられた圧入面が凹部の内周面に圧入されることで該フィルタがボディに対して固定される構成としている。
【先行技術文献】
【特許文献】
【０００３】
【特許文献１】特開２００９−１５０４８５号公報
【発明の概要】
【発明が解決しようとする課題】
【０００４】
本発明は、前記の提案に関連してなされたものであり、ボディに対してより容易且つ確実に固定しつつ、異物の通路内への流出を確実に防止することが可能なフィルタの取付け構造を提供することを目的とする。
【課題を解決するための手段】
【０００５】
前記の目的を達成するために、本発明は、開口を有した円筒状の凹部と、凹部の底壁に開口する底壁側通路と、凹部の側壁に開口する側壁側通路とをボディに備え、凹部には、凹部内を流れる流体中の異物を除去可能で底壁側に開口を有した有底円筒状のフィルタが設けられ、開口を塞ぐプラグとフィルタとの間に設けられたスプリングの弾発力によってフィルタを底壁側へと押圧して保持するフィルタの取付け構造において、
フィルタは、金属製の線材が編み込まれた円筒状の濾過部と、
底壁とは反対側となる濾過部の端部に設けられるプレートと、
を備え、
プレートの中央には、スプリングの端部及び内周側を案内するガイド突起を備えることを特徴とする。
【０００６】
本発明によれば、ボディに形成された凹部にフィルタを取り付けるフィルタの取付け構造であって、凹部の開口を塞ぐプラグとフィルタとの間に設けられたスプリングによってフィルタを凹部の底壁側へと押圧して保持し、このフィルタが、金属製の線材が編み込まれた円筒状の濾過部と、濾過部の端部に設けられるプレートとから構成し、プレートにはスプリングの端部及び内周側を案内するガイド突起を中央に設けている。
【０００７】
従って、ボディの凹部にフィルタを挿入した後にスプリングを挿入する際、ガイド突起によってスプリングをフィルタの中央へと容易に位置決めして組み付けることができるため、プラグを凹部へと組み付ける際にスプリングの位置合わせが不要となる。その結果、ボディに対するフィルタの組み付けを容易且つ確実に行うことができる。また、フィルタの濾過部を、編み込まれた金属製の線材から構成することで、例えば、濾過材を構成する濾材等の異物が通路内へと流出することが防止される。
【発明の効果】
【０００８】
本発明によれば、以下の効果が得られる。
【０００９】
すなわち、ボディに形成された凹部にフィルタを取り付ける際、凹部にフィルタを挿入した後に挿入されるスプリングを、プレートのガイド突起によってフィルタの中央へと容易に位置決めして組み付けることができるため、凹部の開口を塞ぐプラグを凹部へと組み付ける際、スプリングの位置合わせが不要となる。その結果、ボディに対するフィルタの組み付けを容易且つ確実に行うことができると共に、フィルタの濾過部を編み込まれた金属製の線材から形成することで、例えば、濾過材を構成する濾材等の異物が通路内へと流出することが防止される。
【図面の簡単な説明】
【００１０】
【図１】本発明の実施の形態に係るフィルタがボディに装着された状態の拡大断面図である。
【発明を実施するための形態】
【００１１】
本発明に係るフィルタの取付け構造について好適な実施の形態を挙げ、添付の図面を参照しながら以下詳細に説明する。
【００１２】
このフィルタ１０は、図１に示されるように、例えば、高圧の圧力流体（例えば、ガス）を減圧して下流側へと供給可能な減圧装置１２に用いられ、前記減圧装置１２におけるボディ１４の略中央部に形成された有底筒状の凹部１６に装着される。
【００１３】
この凹部１６は、例えば、断面円形状で軸方向（矢印Ａ、Ｂ方向）に沿って所定深さで形成され、上方（矢印Ａ方向）に開口した開口部１８と、側壁に接続された上流側通路２０（側壁側通路）と、下方（矢印Ｂ方向）となる底部（底壁）に接続された下流側通路２２（底壁側通路）とを有している。そして、上流側通路２０から凹部１６内へと高圧の圧力流体が供給され下流側通路２２を通じて排出される。
【００１４】
また、凹部１６内には、円筒状のフィルタ１０と、その開口部１８を閉塞するプラグ２４と、前記プラグ２４と前記フィルタ１０との間に介装されるスプリング２６とが設けられる。
【００１５】
このフィルタ１０は、例えば、金属製の線材が編み込まれ円筒状に形成された濾過部２８と、該濾過部２８の上端部を覆うプレート体（プレート）３０とからなり、前記プレート体３０は、前記濾過部２８の上端部に当接する円盤状のベース部３２と、該ベース部３２の略中央部に形成され濾過部２８から離間する方向（矢印Ａ方向）に突出したガイド部（ガイド突起）３４と、前記略中央部から前記濾過部２８側（矢印Ｂ方向）に向かって突出して嵌合される挿入部３６とを有する。
【００１６】
そして、プレート体３０は、挿入部３６が濾過部２８の内部に嵌合されることで同軸状に保持され、ガイド部３４の外側にはスプリング２６の一端部が挿通される。
【００１７】
なお、濾過部２８の下端部と凹部１６の底部との間には、ゴム等の弾性材料からなる環状の第１シール部材３８が設けられ挟持される。
【００１８】
プラグ２４は、凹部１６の内周面に螺合される軸部４０と、該軸部４０の端部に設けられるフランジ部４２とを有し、中空状に形成された前記軸部４０の内部にスプリング２６が挿入され保持される。そして、プラグ２４は、軸部４０が凹部１６の開口部１８に挿入され内周面に形成されたねじ部４４に螺合されることで、前記開口部１８を閉塞し、且つ、ボディ１４の端部にフランジ部４２が当接した状態で固定される。この際、フランジ部４２及び軸部４０の角部とボディ１４の開口部１８との間に環状の第２シール部材４６が挟持され、前記開口部１８から外側への圧力流体の漏れを防止している。
【００１９】
スプリング２６は、例えば、螺旋状に形成されたコイルスプリングからなり、その一端部がプレート体３０のベース部３２に当接すると共に、ガイド部３４の外側に挿通されることで、前記スプリング２６がガイド部３４によってプレート体３０及び濾過部２８と同軸となるように保持される。また、スプリング２６の他端部は、プラグ２４における軸部４０の内部に挿通され端部に当接することで保持される。
【００２０】
そして、フィルタ１０の濾過部２８には、プレート体３０を介して凹部１６の底部側（矢印Ｂ方向）に向かってスプリング２６の弾発力が付勢され、しかも、前記スプリング２６、プレート体３０及び濾過部２８を含むフィルタ１０が同軸上に配置されているため、前記フィルタ１０が凹部１６の軸方向に沿って下方へと付勢される。
【００２１】
本発明の実施の形態に係る取付け構造の適用されたフィルタ１０は、基本的には以上のように構成されるものであり、ボディ１４の上流側から上流側通路２０へと供給された圧力流体は、凹部１６の側方から内部へと供給され、フィルタ１０の濾過部２８を径方向内側へと通過することで含有される異物が編み込まれた金属製の線材によって捕捉される。この濾過部２８によって異物が除去された圧力流体は、該濾過部２８の内部を通じて下方へと流れて下流側通路２２を通じて下流側へと排出される。
【００２２】
以上のように、本実施の形態では、ボディ１４の凹部１６にフィルタ１０を取り付けるフィルタ１０の取付け構造において、前記フィルタ１０が、金属製の線材が編み込まれた円筒状の濾過部２８と、凹部１６の底壁とは反対側となる前記濾過部２８の端部に設けられるプレート体３０とを備え、プラグ２４との間に介装されるスプリング２６の端部を、前記プレート体３０のガイド部３４によって同軸上に位置決めして保持可能とすると共に、前記プレート体３０を介してスプリング２６の弾発力によって前記濾過部２８を凹部１６の底部側へと押圧することで確実に保持することができる。
【００２３】
その結果、ボディ１４の凹部１６にフィルタ１０を挿入した後にスプリング２６を挿入する際、ガイド部３４によって前記スプリング２６をフィルタ１０の中央へと容易に位置決めして組み付けることができるため、プラグ２４を凹部１６へと組み付ける際の前記スプリング２６の位置合わせが不要となる。その結果、ボディ１４に対するフィルタ１０の組み付けを容易且つ確実に行うことができる。
【００２４】
また、フィルタ１０の濾過部２８を、編み込まれた金属製の線材から形成することで、例えば、濾過部２８を構成する濾材が脱落してしまうことがなく、濾材の下流側通路２２内への流出が防止される。
【００２５】
なお、本発明に係るフィルタの取付け構造は、上述の実施の形態に限らず、本発明の要旨を逸脱することなく、種々の構成を採り得ることはもちろんである。
【符号の説明】
【００２６】
１０…フィルタ                      １４…ボディ
１６…凹部                          １８…開口部
２４…プラグ                        ２６…スプリング
２８…濾過部                        ３０…プレート体
３４…ガイド部                      ４０…軸部
【図１】
2019166511.tif 000003